(57)【要約】【課題】  従来の複数ユーザが同時並行使用可能な情報処理装置では、複数備えた操作部によって、複数ユーザ各々の操作部動作を受けつけることで、情報処理装置の同時使用を可能にしているので、装備、資源、スペースなど無駄が多い。【解決手段】  複数のユーザが同時使用可能な情報処理装置において、前記情報処理装置への操作指示を入力可能な単一の表示部を有し、第１のユーザに対応する操作入力画面と、第２のユーザに対応する操作入力画面とを、前記単一の表示部上で分割して表示するか、交互に表示するかして、表示制御する制御手段を有することを特徴とする。【選択図】図８Ｂ
2015230490.tif 000002
【特許請求の範囲】
【請求項１】
表示部を有し、複数のユーザのログインが可能な情報処理装置であって、
ログインするユーザがそれぞれ携帯する携帯端末と通信してログインするユーザの認証処理を行う認証手段と、
前記認証手段によって認証された複数のユーザのそれぞれに対応する操作入力画面を前記表示部に表示する表示制御手段と、
を有することを特徴とする情報処理装置。
【請求項２】
前記表示制御手段は、前記認証されたユーザがジョブを有する場合には、前記ユーザに対応する操作入力画面に前記ユーザのジョブの一覧を表示し、前記認証されたユーザがジョブを有しない場合には、前記ユーザに対応する操作入力画面に操作選択画面を表示することを特徴とする請求項１に記載の情報処理装置。
【請求項３】
前記表示制御手段は、第１のユーザがログインしている時に、第２のユーザがログインした場合、第１のユーザに対応付けられる第１の操作入力画面と、第２のユーザに対応付けられる第２の操作入力画面とを前記表示部に表示領域を分割して同時に表示することを特徴とする請求項１または２に記載の情報処理装置。
【請求項４】
前記表示制御手段は、第１のユーザがログインしている時に、第２のユーザがログインした場合、第１のユーザに対応付けられる第１の操作入力画面と、第２のユーザに対応付けられる第２の操作入力画面とを前記表示部に交互に切り替えて表示することを特徴とする請求項１または２に記載の情報処理装置。
【請求項５】
前記携帯端末との通信は前記携帯端末を保持するユーザの人体を介した人体通信によることを特徴とする請求項１乃至４のいずれか１項に記載の情報処理装置。
【請求項６】
人体通信によって携帯端末と通信するインターフェースが、前記情報処理装置の操作部に組み込まれていることを特徴とする請求項５に記載の情報処理装置。
【請求項７】
人体通信によって携帯端末と通信するインターフェースが、前記情報処理装置の周辺に配置されるフロアマットに組み込まれていることを特徴とする請求項５または６に記載の情報処理装置。
【請求項８】
前記複数のユーザの内のいずれかの携帯する携帯端末との通信はカードリーダーによって行うことを特徴とする請求項１乃至７のいずれか１項に記載の情報処理装置。
【請求項９】
前記操作入力画面には、前記操作入力画面に対応するユーザの識別情報を合わせて表示することを特徴とする請求項１乃至８のいずれか１項に記載の情報処理装置。
【請求項１０】
前記操作入力画面には、前記操作入力画面に対応するユーザの認証処理に用いた通信方式に対応するアイコンを合わせて表示することを特徴とする請求項５乃至９のいずれか１項に記載の情報処理装置。
【請求項１１】
前記表示部はタッチ入力が可能な表示部であることを特徴とする請求項１乃至１０のいずれか１項に記載の情報処理装置。
【請求項１２】
前記表示制御手段は、前記認証されたユーザがタッチした前記表示部の位置に基づいて前記ユーザに対応する操作入力画面の表示位置を制御することを特徴とする請求項１１に記載の情報処理装置。
【請求項１３】
表示部を有し、複数のユーザのログインが可能な情報処理装置の制御方法であって、
ログインするユーザがそれぞれ携帯する携帯端末と通信してログインするユーザの認証処理を行う認証工程と、
前記認証工程で認証された複数のユーザのそれぞれに対応する操作入力画面を前記表示部に表示する表示制御工程と、
を有することを特徴とする情報処理装置の制御方法。
【請求項１４】
請求項１３に記載の制御方法をコンピュータに実行させるためのプログラム。
【発明の詳細な説明】
【技術分野】
【０００１】
本発明は、複数ユーザの処理を並行に行うことのできる情報処理装置及びその制御方法に関する。特に、本発明は、人体通信を用いた個人認証装置を備えて、複数ユーザの個人認証を含む各種処理を並行に行うことのできる情報処理装置に関する。
【背景技術】
【０００２】
プリンタや、コピー機能、スキャン機能、ＦＡＸ機能及び印刷機能等の各種機能を搭載したＭＦＰ(Multi Functional Peripheral)等の情報処理装置をユーザが利用するときには、先ず個人認証が行われ、次いで操作が許可されることが一般的である。
個人認証の方法としては、ユーザにパスワードを入力させるもの、個人の指紋や静脈パターンなどの生体情報を認証情報として利用するものなど様々である。
また、ＩＣカードが、カード所持者であるユーザのＩＤやパスワードを保持しており、認証システムが、それらＩＤやパスワードを読み出す事で認証が行われるシステムもある(例えば、特許文献１参照)。
【０００３】
ただし、これらの認証方法は、いずれも、一度に認証できる人数が一人のみに制約されている。そして、情報処理装置本体に設けられた単一の操作入力部は、認証された一人のユーザからの操作のみを受け付けて動作する。
【０００４】
近年、認証情報を記憶した携帯端末を携帯しているユーザが、手や足などで認証装置の受信部に触れると、ユーザの人体を通信経路にして携帯端末と認証装置とが送受信でき、携帯端末内の認証情報が認証装置に伝達され、ユーザの識別および認証が可能となる、人体通信を用いた認証技術が実用化されている（例えば、特許文献２、３参照）。  
【０００５】
この人体通信を用いた個人認証は、携帯端末を携帯しているユーザが装置の特定部位に触れるだけで実行されるので、ユーザの操作がきわめて簡単である。また、秘匿情報である認証情報が、接触時のみに人体を通じて直接に認証装置へ伝達されるので、情報漏洩しにくく、セキュリティの高い認証方式であり今後の普及が見込まれている。
【０００６】
また、人体通信を用いた個人認証は、ユーザのワンタッチの単純操作と同時に認証処理が実行され、極めてスピーディに複数ユーザの連続的な認証処理、ログインができるので、単一の情報処理装置の複数ユーザ同時並行使用にも対応が可能になると期待される。(特許文献４参照)
【先行技術文献】
【特許文献】
【０００７】
【特許文献１】特開２００３−１７８０３４号公報
【特許文献２】特開２００６−２６８６１４号公報
【特許文献３】特開２００５−２７０９５号公報
【特許文献４】特開２０１０−２６２４５４号公報
【発明の概要】
【発明が解決しようとする課題】
【０００８】
従来の複数ユーザが同時並行使用可能な単一の情報処理装置では、操作部を複数備えており、複数ユーザ各々の個々の操作部動作を受けつけることで、単一の情報処理装置の同時使用を可能にしている。その結果、操作部を複数備えているため、装備、資源、スペースなど無駄が多い。
また、複合機において、複数のユーザが同時に操作可能な複数の操作部を備えていても、一人のユーザが重いジョブの操作入力で特定機能を占有していれば、他ユーザは実質的に操作の制約を受ける。そして、複数のユーザに向けて複数の操作部がそれぞれ存在している場合、単一の情報処理装置の処理能力の分配やジョブシェアの様子は、各ユーザのそれぞれの操作部入力の過程では把握できず、各ユーザは、情報処理装置の動作に対してストレスを感じることが多い。
本発明は、上記の課題を解決するためになされたもので、本発明の目的は、複数のユーザによる同時使用が可能な情報処理装置において、ログインした複数のユーザが、単一の操作部の表示部に表示された各々の操作画面によって同時使用を可能とする仕組みを提供することである。
【課題を解決するための手段】
【０００９】
本発明は、表示部を有し複数のユーザのログインが可能な情報処理装置であって、ログインするユーザがそれぞれ携帯する携帯端末と通信してログインするユーザの認証処理を行う認証手段と、前記表示部に認証されたユーザに対応する操作入力画面を表示する表示手段と、前記認証手段によって認証された複数のユーザのそれぞれに対応する複数の操作入力画面を前記表示部に表示する態様を制御する制御手段と、を有することを特徴とする。
【発明の効果】
【００１０】
本発明によれば、複数のユーザによる同時使用が可能な情報処理装置において、ログインした複数のユーザが、単一の操作部の表示部に表示された各々の操作画面によって同時使用を可能とすることができる。
【図面の簡単な説明】
【００１１】
【図１】情報処理装置の例を示す図である。
【図２】情報処理装置における人体通信の概略を示す図である。
【図３】情報処理装置のハードウエア構成の一例を示すブロック図である。
【図４】携帯端末のハードウエア構成の一例を示す図である。
【図５】表示部を含む操作パネルの全体構成を示す図である。
【図６】本発明における情報処理装置の制御方法を説明するフローチャートである。
【図７】本発明における情報処理装置の制御方法を説明するフローチャートである。
【図８Ａ】操作パネルの表示部に表示される画面の一例を示す図である。
【図８Ｂ】操作パネルの表示部に表示される画面の一例を示す図である。
【図８Ｃ】操作パネルの表示部に表示される画面の一例を示す図である。
【図８Ｄ】操作パネルの表示部に表示される画面の一例を示す図である。
【図９】本発明の情報処理装置のハードウエア構成の一例を示すブロック図である。
【図１０】本発明における情報処理装置の制御方法を説明するフローチャートである。
【図１１】複数の認証方法による画面表示の例を示す図である。
【図１２】本発明における情報処理装置の制御方法を説明するフローチャートである。
【発明を実施するための形態】
【００１２】
以下、本発明を実施するための最良の形態について図面を用いて説明する。
〔第一実施形態〕
図１は、本実施形態における情報処理装置の１例を示す図である。
情報処理装置としては、例えば、コピー機能、スキャン機能、ＦＡＸ機能及び印刷機能等の各種機能を搭載したＭＦＰ(Multi Functional Peripheral)等の画像形成装置がある。
本例では、情報処理装置１は、ユーザによる操作指示を入力する操作部として操作パネル２と、情報処理装置１の周囲の所定位置に配置されるフロアマット３とを備えている。なお図例では、フロアマット３は、操作パネル２の設置箇所に対応して、情報処理装置１の周辺の正面側の所定位置に敷設される場合を示している。
【００１３】
図１において、情報処理装置１は、ユーザが所持する携帯端末８とデータ通信を行う場合、ユーザの人体を媒介させてデータ通信を行う人体通信方式が採用されている。
上述した操作パネル２、及び、フロアマット３は、人体通信を行う際に、ユーザと情報処理装置１とをデータ通信可能な状態に接続するためのインターフェースとして機能する構成である。
操作部の操作パネル２には、その操作パネル２を操作するユーザの指先などを介して人体通信を行うためのインターフェースとしてパネル通信部２ａが内蔵されている。
また、フロアマット３には、そのフロアマット３に立った状態のユーザの足元から人体通信を行うためのインターフェースとしてマット通信部３ａが内蔵されている。情報処理装置１の人体通信のインターフェースはパネル通信部２ａとマット通信部３ａの両方に組み込んでも良いし、片方のみでもよい。
【００１４】
人体通信には複数の方式が用いられている。たとえば、人体の表面に現れる電界の強度変化を利用してデータ通信を行う電界方式が採用されている。
この電界方式は、人体と接触する電極又は人体に近接する電極を介して人体の表面に現れる電界の強度を変化させることによりデータを送信すると共に、人体の表面に現れる電界の強度変化を検知することによりデータを受信する方式である。
【００１５】
図２は、図１に示した情報処理装置における認証情報の取得処理の概要を示す図である。図２において、情報処理装置は複数のユーザがログインすることが可能である。ユーザは、情報処理装置１にログインをするため、認証動作を行っている。情報処理装置１は、例えば、ユーザ７が、操作パネル２に設けられるパネル通信部２ａなどの人体通信用の電極にタッチした場合に人体通信を行う処理を開始する。
情報処理装置１は、操作パネル２とユーザ７の人体とを介して携帯端末８に対して、携帯端末８中に記録されている認証情報を要求して、ユーザの認証情報を取得し、その認証情報に基づいてユーザ認証を行う。
また、情報処理装置１は、フロアマット３に設けられるマット通信部３ａなどの人体通信用の電極を介して、ユーザ７がフロアマット３に立ったことを認識し、フロアマット３経由で人体通信を行う処理を開始する構成としても良い。
ユーザ認証が成功すると、情報処理装置１は、ユーザ７に情報処理装置１のシステムへのログインを許可し、操作指示に基づき例えばコピーやスキャンなどの各種処理を実行することが可能な状態となる。
【００１６】
図３は、図１に示した情報処理装置１のハードウエア構成の一例を示すブロック図である。
図３において、情報処理装置１は、この情報処理装置１の動作を制御する制御部１５と、各種情報を記憶する記憶装置２５とを備える。また、人体通信を行う人体通信部１８と、原稿を読み取って画像データを出力する読取部２０と、画像データに基づき印刷処理を実行する印刷処理部２１と、上述した操作パネル２を備え、これらはバス３０を介して接続されることにより相互に通信可能に構成される。
【００１７】
制御部１５は、ＣＰＵ１６とメモリ１７とを備えており、各部の動作を制御する。ＣＰＵ１６は、記憶装置２５に記憶されているプログラム２６を読み出して実行する。プログラム２６は、制御部１５を後述する各種処理部として機能させるためのプログラムである。メモリ１７は、ＣＰＵ１６がプログラムを実行することに伴い一時的なデータなどを記憶するものである。
【００１８】
操作パネル２の表示部２０１は、上述したようにユーザによる操作指示を入力する構成を備えている。操作パネル２は、例えば液晶パネルなどで構成され各種情報を表示する表示部２０１と、その表示部２０１に対する操作を検知することでユーザによる操作指示を入力する操作入力部２０２、２０３と、人体通信を行う際の電極などが組み込まれたパネル通信部２ａとを備えている。パネル通信部２ａは、上述したように操作パネル２を介して人体通信を行う際のインターフェースとなるものであり、本発明における第１の通信手段として設けられるものである。また、操作入力部２０２はタッチ入力が可能な液晶パネルなどで構成するとよい。
【００１９】
マット通信部３ａは、上記したパネル通信部２ａと同様に、人体通信を行うための電極などを備えている。そのマット通信部３ａが内蔵されるフロアマット３は、ユーザが操作パネル２を操作する立ち位置に対応した場所、たとえば、情報処理装置１の操作パネル２のある前面に敷設される。そのためユーザは、自然な姿勢で操作パネル２を操作するとき、必然的にフロアマット３に立つ状態となる。
【００２０】
人体通信部１８は、人体通信をつかさどる通信モジュールである。
人体通信部１８は、パネル通信部２ａやマット通信部３ａを介して、携帯端末８に認証データを要求したり、携帯端末８から出力される認証データを受信し、その情報を制御部１５に転送したりする機能を備えている。
【００２１】
読取部２０は、原稿画像を読み取って画像データを出力する処理部である。例えば、原稿載置台に載置された複数の原稿を先頭から１枚ずつ搬送する原稿搬送部や、読み取った原稿画像を画像データに変換して出力する画像データ出力部などを備えている。
印刷処理部２１は、画像データに基づき印刷処理を実行することで印刷物を出力する処理部である。例えば、１枚ずつ給紙された用紙に対して、画像データに基づき画像形成を行う画像形成部、画像形成部によって形成されるトナー像（画像）を用紙に転写させる転写部、用紙に転写されたトナー像を定着させる定着部、印刷された印刷物を排出する印刷物搬送部などを備えている。
【００２２】
記憶装置２５は、上述したプログラム２６の他に認証情報２７を記憶する。認証情報２７は、管理者などによって予め登録されるユーザのＩＤ情報や、携帯端末８内のユーザＩＤ情報に紐付けられた入力操作可能なジョブ属性などの各種機能の情報を持つ。このとき、認証登録の具体的なＩＤ情報は図示しないネットワーク通信部を通して、外部から取得する構成にしてもよい。
【００２３】
次に、図３を参照して、情報処理装置１における制御部１５の認証処理に関する機能構成を詳細に説明する。
図３における制御部１５は、上述したＣＰＵ１６が記憶装置２５中のプログラム２６を実行することにより、パネル制御部３１、認証部３２及び画像データ送受信部３３の各々として機能する。認証部３２は、人体通信によりユーザ認証を行う処理部である。
操作パネル２がタッチされた場合、操作パネル２の動作を制御するパネル制御部３１が、ユーザの操作パネル２への接触を検知し、携帯端末８と情報処理装置１とが人体通信で通信可能であると判断する。そして、認証部３２に対して、パネル通信部２ａを介して通信可能な携帯端末８の認証処理を行うように指示する。
【００２４】
フロアマット３の場合、人体通信部１８は、マット通信部３ａを介して通信可能な携帯端末８の有無を常時監視している。
人体通信部１８は、ユーザがフロアマット３に立つと、通信可能な携帯端末８を認識できるので、直ちに、認証部３２に対して、マット通信部３ａを介して通信可能な携帯端末８の認証処理を行うように指示する。
認証要求を受けた認証部３２は、人体通信部１８を通じて携帯端末８に対して認証情報を要求する。人体通信部１８は、認証部３２から発信される認証要求を、パネル通信部２ａやマット通信部３ａを介して携帯端末８に送信する。
【００２５】
認証部３２は、携帯端末８の応答により出力される認証情報を、パネル通信部２ａ、マット通信部３ａ、人体通信部１８を介して受信してから、記憶装置２５を検索して、携帯端末８から受信した認証情報と同一の認証情報２７が記憶装置２５に記憶されているか否かを判断する。
認証部３２は、携帯端末８から受信した認証情報と同一の認証情報２７が記憶装置２５に記憶されている場合には、ユーザ認証が成功したと判断する。これによりユーザは、情報処理装置１にログインでき情報処理装置１の各種機能を使用可能となる。
一方、認証部３２は、携帯端末８から受信した認証情報と同一の認証情報２７が記憶装置２５に記憶されていない場合には、ユーザ認証が失敗したと判断する。
【００２６】
制御部１５は、ユーザ認証が成功した場合、例えばユーザに対してログインが許可されたことを表示部２０１において報知すると共に、操作パネル２の表示部に操作入力画面としてメニュー画面などを表示し、ユーザに対して実行すべき処理を選択できるように示す。
また、携帯端末８は、情報処理装置１のデータ送受信先として指定されても良い。例えば、ユーザによってスキャン送信メニューが選択されると、情報処理装置１は送信宛先として携帯端末８が指定可能であることを操作パネル２に表示する。ユーザは操作パネル２上で携帯端末８を指定して、スキャン送信の送信宛先として指定できる。そして、情報処理装置１は、原稿画像を読み取って生成される画像データを、人体通信部１８、パネル通信部２aかマット通信部３a、ユーザの人体を介して携帯端末８に送信するように処理を行うことができる。
【００２７】
他の例としては、ユーザによって操作パネル２でプリントメニューが選択されると、情報処理装置１はプリントデータの保存元として携帯端末８があることを操作パネル２に表示する。ユーザは操作パネル２上で携帯端末８を指定して、携帯端末８の持つプリントデータを選択すると、情報処理装置１が、携帯端末８から、パネル通信部２a、マット通信部３a、ユーザの人体、人体通信部１８を介してプリントデータを受信し、印刷処理部２１によって印刷を行う。
【００２８】
図４は、図２に示した携帯端末８のハードウエア構成の一例を示す図である。
携帯端末８は、その携帯端末８の動作を制御する制御部８ａと、人体通信を行うための人体通信部８ｂと、プログラムや画像データなどの各種情報を記憶する記憶装置８ｃとを備えている。また、携帯端末８は、この他にも図示されないバッテリや電源制御部などの携帯するために必要な構成を備えている。
制御部８ａは、ＣＰＵやメモリなどを備えており、記憶装置８ｃに記憶されている各種プログラムを読出して実行することで人体通信に伴う処理を実行する。
【００２９】
また、人体通信部８ｂは、情報処理装置１との人体通信を行う通信モジュールである。記憶装置８ｃには、この携帯端末８を保持するユーザの識別情報ＩＤなどが記録された認証情報が記憶されている。これにより情報処理装置１は、記憶装置２５に保持されている認証情報２７と、携帯端末８から受け取る認証情報との照合によりユーザ認証を行うことが可能である。
図４に示す構成の携帯端末８は、例えば携帯電話機やＩＣカードなどに組み込まれたものであっても良い。例えば携帯端末８がＩＣカードに組み込まれる場合、携帯端末８は、情報処理装置１から、人体通信を経由して認証要求を受けたときに、そのＩＣカードに予め記録されている認証情報を読み取って、その読み取った認証情報を情報処理装置１に返信するように構成される。
携帯端末８の具体的な態様としては、スマートフォン、タブレット端末や、ＲＦＩＤなどのカード形態のものまで様々に可能である。
【００３０】
図５は、図３に示した操作パネル２の構成を示す一例である。
図５に示される操作パネル２において、２０１は液晶などで構成される表示部、２０２はタッチパネルの操作入力部、２０３は押下して数字などを入力するボタンのハードキー、２０４は設定した動作を実行するためのスタートキーである。
また、ハードキー２０３、スタートキー２０４は、表示部２０１に所望のボタンを表示させ、タッチパネル２０２のタッチ操作で入力する構成としてもよい。
【００３１】
次に、情報処理装置１の制御動作例に関して説明する。
図６、図７は、本実施形態における情報処理装置１の制御方法を説明するフローチャートである。本例は、各種の操作を行う場合の制御動作を示している。各種の操作とは、画面の遷移等の表示制御、ジョブの設定や実行、画像データのプレビュー表示などの操作である。ジョブとは文書の印刷や、ネットワーク等を介して情報処理装置１に送信された画像データの印刷などの作業を指す。
【００３２】
図６では、表示部２０１の全体にメニューが表示される場合の制御を示している。図７では、表示部２０１の一部分にメニューが表示される場合の制御を示している。
なお、本フローに係わる制御判断は、すべて、情報処理装置１のＣＰＵが行っている。情報処理装置１のプログラムは、情報処理装置１の記憶装置２５のプログラム２６に記憶されており、制御部１５内のメモリ１７に読みだされてＣＰＵ１６により実行される。
また、携帯端末８を保持するユーザは、情報処理装置１を使用するとき、操作パネル２における所望の操作入力部２０２を操作する。例えば、タッチパネル２０２に触れたり、ハードキー２０３に設置された節電ボタンを押下することによって情報処理装置１の機能を使用する。
【００３３】
まず、図６に示すフローチャートを参照して表示部２０１全体にメニューが表示される場合の制御に関して説明する。
情報処理装置１はユーザから操作パネル２の操作入力部２０２に対するタッチを入力として受付ける（Ｓ１０１）。このとき、ユーザが保持している携帯端末８と人体通信部１８との間にパネル通信部２ａとユーザの人体を含む通信経路が形成される。この通信経路を通して携帯端末８と人体通信部１８との間でデータ通信が行われる。
制御部１５のＣＰＵ１６は、携帯端末８の記憶装置８ｃに記録されたユーザ情報と記憶装置２５に記録された認証情報２７とを照合してユーザの識別を行うことで認証処理を行う（Ｓ１０３）。
そして、認証の可否を判断し（Ｓ１０５）、認証不可能（Ｓ１０５・Ｎｏ）であると判断した場合には、ユーザに情報処理装置１の操作を許可せず、処理を終了する。
【００３４】
一方、Ｓ１０５での認証可否の判断において、ＣＰＵ１６が認証可能であると判断した場合には、ＣＰＵ１６は、ユーザに情報処理装置１の操作を許可する。そして、このユーザ情報をメモリ１７に記憶する（Ｓ１０７）。
ここで、ユーザ情報とはユーザのＩＤなどのユーザ識別情報や保持しているジョブ、操作内容（画面遷移、ジョブの設定）などである。このユーザ情報は、ジョブのキャンセルや、ユーザからの操作指示を受けて動作が完了するまでメモリ１７に記録し、その後、不要となってから所定時間後に制御部１５から自動的に消去される。
【００３５】
次に、ＣＰＵ１６は、ユーザ情報からこのユーザのジョブを持っているか否かを判断する。（Ｓ１０８）
ＣＰＵ１６が、このユーザのジョブを持っていないと判断した場合（Ｓ１０８・Ｙｅｓ）には、例えば、表示部２０１に図８の（ａ）に示すようなＩＤ：００００００に対応する画像Ｇ１を表示して、ユーザに次の操作指示入力を促す体制で待つ（Ｓ１０９）。
画像Ｇ１には、ユーザ情報から判断したＩＤや情報処理装置１が動作可能な処理メニューが、各処理に対応するアイコンを表示部２０１に並べて表示される。ＩＤの表示は、数字であっても文字であっても、複合的なものであってもよい。
このアイコンが表示されている座標位置とユーザによって触れられたタッチパネル２０２の座標位置を判断することで、ＣＰＵ１６は、ユーザの所望する動作を判断してユーザの選択操作入力として受け付ける。
【００３６】
また、このユーザのジョブを持っているとＣＰＵ１６が判断した場合（Ｓ１０８・Ｎｏ）には、例えば、表示部２０１に図８Ａの（ｂ）に示すような画像Ｇ２を表示部２０１の任意の位置に表示し、ユーザの次の操作を待つ（Ｓ１１０）。画像Ｇ２は、ユーザのプリントジョブを持っている場合、記憶装置２５に記憶されているプリントジョブ一覧と、ユーザ情報から判断したＩＤとを併せて表示している。なお、ジョブの表示では、ユーザの保持するジョブであればファックスなどのデータを表示してもよい。
いずれにしても、ユーザのジョブの属性がプリントであれば、情報処理装置の主要業務であり、細かな追加的なユーザ指示入力が必要なものでない限り、可及的速やかに印刷処理して、無駄な待機時間をなくすことが好ましい。
【００３７】
次に、ＣＰＵ１６が、ユーザから操作パネル２の操作入力部２０２に対する入力を受けたと判断した場合（Ｓ１１１）、Ｓ１０３と同様に認証処理を行う（Ｓ１１３）。このとき、ＣＰＵ１６は、認証処理で得られたユーザ情報と記録情報とを照合し、操作が同一のユーザからの操作であるか判断する（Ｓ１１５）。ここで、ＣＰＵ１６が、同一のユーザであると判断した場合（Ｓ１１５・Ｙｅｓ）には、ユーザの操作に従って、情報処理装置１は操作を実行する（Ｓ１１７）。
例えば、画面Ｇ1を表示しているときに、コピーアイコンの操作入力が有ったとＣＰＵ１６が判断した場合には、動作の実行として、コピー設定画面を表示する。
画面Ｇ２を表示しているときに、プリントジョブ一覧のいずれかが操作入力されたとＣＰＵ１６が判断した場合には、選択されたデータの印刷を実行する。このときの動作の実行は、スタートキー２０４の押下をトリガーとしてもよいし、タッチパネル２０２からの入力をトリガーとしてもよい。
【００３８】
情報処理装置１のＣＰＵ１６が、ジョブの実行中にユーザの操作を受ける（Ｓ１１９・Ｎｏ）ことなくジョブが終了した（Ｓ１１９・Ｙｅｓ）と判断した場合には、本動作を終了する。その後、メモリ１７に保持されたユーザ情報は破棄される。
情報処理装置１のＣＰＵ１６が、ジョブの実行中にユーザの操作を受けた（Ｓ１１９・Ｎｏ）と判断した場合には、認証処理を行い（Ｓ１１３）、同一のユーザでないと判断した場合（Ｓ１１５・Ｎｏ）には、Ｓ１０５と同様に認証の可否を判断する（Ｓ１２１）。そして、認証不可能と判断される場合（Ｓ１２１・Ｎｏ）には、ＣＰＵ１６は、ユーザに対して情報処理装置１の操作を許可せず、処理を終了する。
一方、Ｓ１２１で、ＣＰＵ１６が認証可能であると判断した場合（Ｓ１２１・Ｙｅｓ）には、ＣＰＵ１６は、ユーザに情報処理装置１の操作を許可する。そして、Ｓ１０７と同様に、このユーザの情報をメモリ１７に記録する（Ｓ１２３）。
【００３９】
次に、ＣＰＵ１６は、ユーザ情報からこのユーザのジョブを記憶装置２５に記憶していないか判断する。（Ｓ１２５）
このユーザのジョブを記憶していないとＣＰＵ１６が判断した場合（Ｓ１２５・Ｙｅｓ）には、ＣＰＵ１６は、例えば、表示部２０１に、図８Ｃの（ｅ）に示すように、画面表示領域を左右に二分割して表示制御して、操作選択画面の表示画像Ｇ１、Ｇ３を表示したり、図８Ｄの（ｆ）に示すように、各ユーザＩＤに対応する受け付け画面として操作選択画面Ｇ１、Ｇ４を交互切り替えの画像Ｇ１、Ｇ４として表示制御したりする（Ｓ１２７）。ここで、これら表示画像Ｇ１、Ｇ３、Ｇ４は、操作入力画面として用いられてもよい。
【００４０】
画像Ｇ３、Ｇ４では、画像Ｇ１と同様に、ユーザ情報のＩＤから情報処理装置１が受け付け動作可能な処理メニューが複数のアイコンの配列により表示部２０１に表示される。
画像Ｇ３および画像Ｇ４の表示は、ユーザが操作するときに選択するようにしてもよいし、あらかじめ情報処理装置１の管理者が決定するようにしてもよい。この設定は、記録装置２５などの記憶装置に保持され、情報処理装置１の起動時に設定されるようにしてもよい。
【００４１】
また、このユーザがジョブを持っているとＣＰＵ１６が判断した場合（Ｓ１２５・Ｎｏ）には、例えば、表示部２０１中に図８Ｂの（ｃ）に示すような小窓画像Ｇ２を表示部２０１の任意の位置に表示（Ｓ１２８）して、そのユーザの操作入力指示を待ち受けていることを示しても良い。
ユーザのジョブ属性が、印刷以外のものである場合には、ジョブ選択に続いて、ユーザから幾つかの操作入力指示が必要なケースが殆どである。その場合、画像Ｇ3や画像Ｇ４のやや大きなメニュー表示画面で、ユーザの操作入力を促すと、情報処理装置の待機時間が削減でき、複数ユーザの同時使用がスムーズになる。
そして、これらの表示領域に従って、ユーザ情報とユーザに対応付けられた入力可能領域としてユーザの操作を許可する領域を決定し、ユーザの次の操作を待つ（Ｓ１２９）。画像Ｇ３のような複数分割表示画面の場合には、分割されたユーザ対応のＩＤが表示されている画像領域がそのユーザに対応する操作入力画面として操作受け付け可能な領域である。
画像Ｇ４のような切り替え表示画面の場合には、当該ユーザが操作した場合にのみ入力を受け付ける。このとき、他の認証可能なユーザが操作した場合には、画像と操作領域を動的に切り替える。
【００４２】
次に、ユーザから操作パネル２の入力操作部２０２に対する入力を受けたとＣＰＵ１６が判断した場合には（Ｓ１３１）、ＣＰＵ１６は、認証処理を行う（Ｓ１３３）。このとき、ＣＰＵ１６は、認証処理で得られたユーザ情報と記録情報とを照合し、操作が許可された領域で、同一のユーザからの操作であるか判断する（Ｓ１３５）。同一のユーザであるとＣＰＵ１６が判断した場合（Ｓ１３５・Ｙｅｓ）には、ＣＰＵ１６は、ユーザの操作に従って、情報処理装置１の操作を実行する（Ｓ１３７）。
ＣＰＵ１６が、ジョブの実行中にユーザの操作を受けることなくジョブが終了したと判断した場合（Ｓ１３９・Ｙｅｓ）、情報処理装置１は本動作を終了する。
その後、所定時間後、ＣＰＵ１６は、ユーザ設定に従い、動作終了に係るユーザ情報を、メモリ１７から消去する。消去に至る時間は、適宜設定可能である。
情報処理装置１のＣＰＵ１６が、ジョブの実行中にユーザの操作を受けた（Ｓ１３９・Ｎｏ）と判断した場合には、Ｓ１３１にもどる。
【００４３】
次に、同一のユーザでないとＣＰＵ１６が判断した場合（Ｓ１３５・Ｎｏ）には、新たな認証処理（Ｓ１２１）に戻り、順次各ステップを実行する。このとき、ＣＰＵ１６が、Ｓ１０７で記録されたユーザの操作であると判断した場合には、ＣＰＵ１６は、メモリ１７に記憶したユーザ情報と、Ｓ１２９の操作入力受け付け画面とから、ユーザの操作入力指示を把握し、その指示に基づいて動作を実行する。
以上が、操作画面全体にメニューが表示制御される場合の制御方法である。
ユーザのジョブの属性がプリントであれば、情報処理装置の主要業務であり、細かな追加的なユーザ指示入力の必要なものでない限り、可及的速やかに印刷処理して、無駄な待機時間をなくすことが好ましい。一方、ユーザのジョブ属性が、印刷以外のものである場合には、ジョブ選択に続いて、ユーザから幾つかの操作入力指示が必要なケースが殆どなので、やや大きなメニュー表示画面で、ユーザの操作入力を促すことが、単一の情報処理装置の稼働率を上げ、複数ユーザの同時使用にも効果的である。
【００４４】
次に、図７に示すフローチャートを参照して表示部２０１の一部分にメニューが表示される場合の制御に関して説明する。
この制御は、画面表示に関わる部分以外は、表示部２０１全体にメニューが表示される図６の制御とほぼ同様なので簡略に記載し、画面表示に関わる部分について詳しく説明する。
【００４５】
情報処理装置１のＣＰＵ１６は、操作パネル２のタッチ入力が可能な液晶パネル等で構成される入力操作部２０２に対するユーザのタッチを入力として受け付ける（Ｓ２０１）。次いで、ユーザの保持する携帯端末８と、情報処理装置１の人体通信部１８との間で、パネル通信部２ａやユーザの人体を介した通信経路により、人体通信を行い、携帯端末８の記憶装置８ｃに記録されたユーザ情報を読み出して、取得する。取得したユーザ情報と情報処理装置１本体中の記憶装置２５に記録された認証情報２７と照合してユーザの識別を行うことで認証処理を行う（Ｓ２０３）。
【００４６】
そして、ＣＰＵ１６が認証可能（Ｓ２０５・Ｙｅｓ）と判断した場合には、ＣＰＵ１６は、ユーザに情報処理装置１の操作を許可し、そのユーザ情報はメモリ１７に記録される（Ｓ２０７）。
ユーザの操作パネル２へのタッチ（Ｓ２０１）を契機に、入力受付けが開始され、ＣＰＵ１６による認証処理が進み、携帯端末８から読み出されたユーザ情報がメモリ１７に記録されるとともに、操作パネル２の操作入力部２０２が検出したタッチ座標も併せてメモリ１７に記録される（Ｓ２０７）。
次に、ＣＰＵ１６は、ユーザ情報からこのユーザのジョブを持っていないか判断する（Ｓ２０８）。ＣＰＵ１６が、このユーザのジョブを持っていないと判断した場合（Ｓ２０８・Ｙｅｓ）には、ＣＰＵ１６は、メモリ１７が保持する座標情報をもとに、表示部２０１に、例えば、図８Ｂの（ｄ）に示すようなコンパクトな処理メニュー一覧の画像Ｇ５を表示する。
ユーザの操作パネル２へのタッチ（Ｓ２０１）が、左寄りであれば、画像Ｇ５は、検出した座標情報をもとに、操作パネル２の表示部２０１の左寄りの表示位置に表示される。このとき、表示部２０１の表示領域をはみ出す極端な表示位置に画像Ｇ５が表示され、画像Ｇ５の表示が欠ける場合には、座標情報が微調整され画像Ｇ５全体が表示できるように構成される。
なお、ユーザの座標情報は、操作パネル２へのタッチ（Ｓ２０１）位置から把握しても良いし、フロアマット上の第２ユーザ立ち位置から把握することもでき、両方の情報を参酌してより正確に把握することもできる。フロアマットにはユーザの立ち位置を検出するために圧力センサを付設する等してもよい。
【００４７】
画像Ｇ５は、ユーザのＩＤと、そのユーザが情報処理装置１で使用可能な処理メニューとを併せて一覧でコンパクトに表示している。
コンパクトな処理メニュー一覧の画像Ｇ５（たとえば、図８Ｂの（ｄ））と、表示部２０１全体に各処理に対応するアイコンを並べて表示する画像Ｇ１（たとえば、図８Ｂの（ｃ））とを動的に交互に切り替えて表示して、ユーザの操作入力を促すように配慮することもできる。画像切り換え表示の場合には、ＣＰＵ１６は、両画像の表示内容や表示位置等をメモリ１７に保持しており、該当するユーザの操作入力の指示内容を的確に把握する。
これら表示領域の分割、各ユーザ情報とユーザ操作許可領域の配分、最適な表示画像の選定、ユーザの次の操作を待ち受ける操作パネル全体のレイアウト調整は、画像処理装置１の制御部１５の中のパネル制御部３１の作業分担となっており、実質的には、ＣＰＵ１６が遂行する。
【００４８】
認証の後、ＣＰＵ１６が、このユーザのジョブを持っていると判断した場合には（Ｓ２０８・Ｎｏ）、例えば、表示部２０１に図８Ａ（ｂ）に示すようなプリントジョブ一覧の画像Ｇ２を表示部２０１に表示する。この場合も、Ｓ２０９と同様にＳ２０７で保持した座標情報をもとに、表示部２０１中のユーザのタッチ位置に近い側に寄せて画像Ｇ２を表示して（Ｓ２１０）、画像処理装置の表示パネルのユーザインターフェースを単純化、統一しておく。そうすることによって、複数ユーザが、それぞれ戸惑うことなく、自然に各自の入力操作可能領域で操作できるように配慮することができる。
【００４９】
次に、ユーザから操作パネル２の入力操作部２０２、２０３に対する入力を受けたと判断した場合(Ｓ２１２)には、Ｓ２０３と同様に認証処理を行う（Ｓ２１３）。このとき、認証処理で得られたユーザ情報と座標情報など記録情報を照合し、許可された操作領域であるか否かを判断する（Ｓ２１４）。許可された操作領域でなかった場合（Ｓ２１４・Ｎｏ）には、認証処理の最初の入力受け付け（Ｓ２０５）まで戻って処理を進める。許可された操作領域である場合（Ｓ２１４・Ｙｅｓ）には、認証処理で得られたユーザ情報と記録情報を照合し、操作が同一のユーザからの操作であるか判断する（Ｓ２１５）。同一のユーザであると判断した場合（Ｓ２１５・Ｙｅｓ）には、ユーザの操作に従って、情報処理装置１は動作を実行する（Ｓ２１７）。例えば、コンパクトな処理メニュー一覧の画像Ｇ５を表示しているときの動作の実行とは、コピーアイコンを操作されたと判断したら、コピー設定画面を表示することである。このときの画面表示も、保存された検出座標をもとに表示位置を考慮することが望ましい。
【００５０】
情報処理装置１は、ジョブの実行中にユーザの操作を受けることなくジョブが終了した（Ｓ２１９・Ｙｅｓ）場合、本動作を終了する。その後、メモリ１７に保持されたユーザ情報は破棄される。
情報処理装置１のＣＰＵ１６が、ジョブの実行中にユーザの操作を受けた（Ｓ２１９・Ｎｏ）と判断した場合には、入力受け付け（Ｓ２１２）まで戻って処理を進める。
Ｓ２１５において、同一ユーザでないと判断した場合（Ｓ２１５・Ｎｏ）には、認証の可否を判断する（Ｓ２２１）。そして、認証不可能な場合（Ｓ２２１・Ｎｏ）には、ＣＰＵ１６は、ユーザに対して情報処理装置１の操作を許可せず、処理を終了する。
【００５１】
認証可能な場合（Ｓ２２１・Ｙｅｓ）には、ＣＰＵ１６は、ユーザに情報処理装置１の操作を許可する。そして、ユーザ情報がメモリ１７に保持されるとともに、タッチパネル２０２が検出したタッチ座標も併せてメモリ１７に保持される（Ｓ２２３）。
次に、ユーザ情報からこのユーザのジョブの有無を判断し（Ｓ２２５）、このユーザのジョブを持っていないと判断した場合（Ｓ２２５・Ｙｅｓ）には、タッチ座標位置ないしその近傍に、操作選択画面として受け付け処理可能なメニュー一覧の画像Ｇ５を表示する（Ｓ２２８）。
そして操作パネルの画像Ｇ５表示に併せて、ユーザ情報、処理メニュー一覧の画像Ｇ５の表示内容や表示領域を関連させてメモリ１７に保持する、いわゆるヒモ付けを行い、次の操作入力を待つ（Ｓ２２９）。
【００５２】
次に、入力を受け付けた（Ｓ２３１）ときには、認証処理を行い（Ｓ２３３）、検出した入力座標が許可された領域か否か判断する（Ｓ２３４）。検出した入力座標が許可されていない領域の場合（Ｓ２３４・Ｎｏ）には、Ｓ２２１に戻って処理を進める。検出した入力座標が許可された領域である場合には（Ｓ２３４・Ｙｅｓ）、許可された領域に対応するユーザと同一であるか判断する（Ｓ２３５）。ユーザが同一でないとＣＰＵ１６が判断した場合には（Ｓ２３５・Ｎｏ）、認証処理の最初の入力受け付けまで戻って認証の可否を判断する（Ｓ２２１）。
【００５３】
ユーザが同一であるとＣＰＵ１６が判断した場合（Ｓ２３５・Ｙｅｓ）には、ユーザ情報等を保存し、操作入力に従って動作する（Ｓ２３７）。情報処理装置１は、ジョブの実行中にユーザの操作を受けることなくジョブが終了した場合（Ｓ２３９・Ｙｅｓ）には、本動作を終了する。その後、動作終了に係るユーザ情報等は、メモリ１７から破棄される。
情報処理装置１のＣＰＵ１６は、ジョブの実行中にユーザの操作を受けた場合（Ｓ２３９・Ｎｏ）には、入力受け付け（Ｓ２３１）まで戻って処理を進める。
以上のような制御方法を用いることで、一つの操作部で複数のユーザの操作を可能にし、複数の操作部を持つことなく、複数のユーザからの装置の同時使用を可能することができ、利便性を向上することができる。
〔第２実施形態〕
【００５４】
第１実施形態では、認証方法として人体通信のみを用いた場合の制御方法について説明してきたが、人体通信のみならず複数の認証方法を持つ場合であっても構わない。
図９は、本実施形態における情報処理装置のハードウエア構成の一例を示すブロック図である。
本実施形態の特徴は、図３のハードウエア構成に加えて、バス３０にカードリーダー４が接続されていることである。カードリーダー４は、ＩＤなど個人を特定できる情報が埋め込まれたＩＣカードなどから情報を読み取ることが可能な機器である。カードリーダー４はバス３０を介して制御部１５と接続されている。
カードリーダー４は、制御部４００と通信部４０１から構成されている。制御部４００は、かざされたカードを検知し、通信部４０１を制御する。通信部４０１は、かざされたカードから情報を読み取りＣＰＵ１６に情報を送信する。
【００５５】
図１０は、本実施形態の複数の認証方法をもつ情報処理装置１の制御方法を示すフローチャートである。
図１０を用いて、複数の認証方法を持つ場合の画面表示の制御に関して説明する。
まず、ＣＰＵ１６は、ユーザによる認証を検知し（Ｓ３００）、バス３０を介してアクセスしている認証方法が何であるかを判断する（Ｓ３０１）。
人体通信部１８を介してアクセスが有る場合には、人体通信で認証していると判断し、例えば、表示部２０１に、図１１に示すような人体通信を想起させるアイコンＩ１と、動作可能な各処理メニューを並べた操作入力画面である画像Ｇ１を表示する（Ｓ３０２）。アイコンＩ１は、例えば、長円囲みの中にＢｏｄｙＡｒｅａと表記のアイコンであり、この場合には、人体通信で認証を行っていることを表しており、ＩＤ番号と並べて表示する等の態様が考慮される。アイコンＩ１は人体通信で認証が行われていることが分かればどのような表示形態であってもよい。
なお、本フローに係わる判断は情報処理装置１のＣＰＵ１６が担っている。情報処理装置１のプログラムは、情報処理装置１の記憶装置２５のプログラム領域２６に記憶されており、メモリ１７に読みだされてＣＰＵ１６により実行される。
また、携帯端末８を保持するユーザは、情報処理装置１を使用するとき、操作パネル２における所望の操作入力部２０２、２０３を操作する。例えば、タッチパネル２０２に触れたり、ハードキー２０３に設置されたボタンを押下することによって情報処理装置１の機能を使用する。
【００５６】
カードリーダー４の通信部４０１を介してアクセスが有る場合には、ＣＰＵ１６は、カードにより認証が行われていると判断する。そして、例えば、表示部２０１に、図１１に示すようなカード認証を想起させるアイコンＩ２と、そのユーザのＩＤ番号、そのユーザの保持しているプリントジョブ一覧を併せて、画像Ｇ２のように表示する（Ｓ３０３）。
例えば、長円囲みの中にＣａｒｄと表記のアイコンＩ２は、カードにより認証を行っていることを表しており、ＩＤ番号と並べるなどして表示される。アイコンＩ２はカードにより認証が行われていることが分かればどのような表示形態であってもよい。
【００５７】
人体通信に関する制御の概要は実施例１と同様なので簡略に記載し、カードによる認証方法の制御方法について図１２を用いて詳しく説明する。
図１２は、カードによって認証する場合の情報処理装置１の制御方法を示すフローチャートである。
まず、ユーザは、ハードキー２０３の節電キ―などにより装置を起動させる（Ｓ４０１）。次に、カードリーダー４にカードをかざすことで、カードリーダーの通信部４０１を能動化させて、カード情報を読出してＣＰＵ１６と通信を行う様に促す。ＣＰＵ１６は記憶装置２５に保持された認証情報と、読みだされたカード情報とを照合して認証をおこなう（Ｓ４０３）。
【００５８】
ＣＰＵ１６は、認証の可否を判断し（Ｓ４０５）、認証不可能な場合（Ｓ４０５・Ｎｏ）には、ユーザに情報処理装置１の操作を許可せず、動作を終了する。
認証可能な場合（Ｓ４０５・Ｙｅｓ）には、ＣＰＵ１６は、ユーザに情報処理装置１の操作を許可する。
そして、このユーザの情報をメモリ１７に記録する（Ｓ４０７）。
次に、ＣＰＵ１６は、ユーザ情報からこのユーザのジョブを持っていないか判断する。
ＣＰＵ１６が、このユーザのジョブを持っていないと判断した場合（Ｓ４０８・Ｙｅｓ）には、ＣＰＵ１６は、メモリ１７が保持する座標情報をもとに、表示部２０１に、例えば、図８Ｂの（ｄ）に示すようなコンパクトな処理メニュー一覧の画像Ｇ５を表示する。
このユーザのジョブを持っていると判断した場合（Ｓ４０８・Ｎｏ）には、ＣＰＵ１６は、メモリ１７が保持する座標情報をもとに、表示部２０１に、例えば、図８Ａの（ｂ）、図８Ｂの（ｃ）、（ｄ）に示すようなコンパクトなジョブ一覧の画像Ｇ２を表示する。
【００５９】
カードリーダーによるカード認証で操作の許可されたユーザに対する操作可能な領域の表示画像Ｇ２やＧ５の表示位置については、たとえば、カードリーダーが情報処理装置の正面右端にある物理的配置の場合には、操作パネル表示部の右端に寄せて表示する。こうすれば、ユーザインターフェースに統一感があり、複数ユーザが戸惑うことなく、それぞれの操作可能領域を自然に把握してスムーズに操作入力できる。
そして、ＣＰＵ１６は、操作パネルの画像Ｇ５の表示に併せて、ユーザ情報、処理メニュー一覧の画像Ｇ５の表示内容とその表示領域を関連させてメモリ１７に保持する、いわゆるヒモ付けを行い、次のユーザからの操作入力を待つ（Ｓ４１１）。
【００６０】
次に、ＣＰＵ１６が、入力を受けたとき（Ｓ４１２）、認証処理を行い（Ｓ４１３）、検出した入力座標が許可された領域か判断する（Ｓ４１４）。検出した入力座標が許可されていない領域であった場合には（Ｓ４１４Ｎｏ）、Ｓ４０５に戻って処理を進める。検出した入力座標が許可された領域である場合には（Ｓ４１４Ｙｅｓ）、パネル通信部２ａによりユーザ情報が読みとれるか判断する（Ｓ４１５）。パネル通信部２ａによりユーザ情報が読みとれる場合には（Ｓ４１５Ｙｅｓ）、人体通信が有効と成っているので、実施形態１で説明した制御フローを行う。パネル通信部２ａによりユーザ情報が読みとれない場合には（Ｓ４１５Ｎｏ）、操作に従って情報処理装置１は動作する（Ｓ４１７）。情報処理装置１は、ジョブの実行中にユーザの操作を受けることなくジョブが終了した場合（Ｓ４１９Ｙｅｓ）、本動作を終了する。このとき、メモリ１７に保持された動作を終了したと判断したユーザ情報を破棄する。
【００６１】
このカードによる認証を一人のユーザのみ許可する構成にしてもよいし、複数のユーザを許可する構成にしてもよい。また、人体通信による認証方式や、テンキー入力による暗号認証方式などとの併用もできる。
以上のような制御方法を用いることで、複数の操作部を持つこと無しに、複数のユーザからの操作を許可することができる。人体通信による認証方式に限らず、複数の認証方法を備えていても、複数のユーザからの装置の同時使用を可能とすることができ、利便性を向上することができる。
〔第３実施形態〕
【００６２】
第１実施形態では、人体通信による認証方法によって、複数ユーザの認証をする場合を説明した。また、第２実施形態では、人体通信による認証方法、及び、カードリーダーによる認証方法によって、複数ユーザの認証をする場合を説明した。
第３実施形態では、人体通信の認証方法、カードリーダーによる認証方法に加えて、テンキー入力による暗証番号入力の認証方法の3者併用の認証方法によって、複数ユーザの認証をする場合を説明する。
普段は直接印刷指示しない中間管理者がユーザとなる場合、携帯端末や認証カードを保有していないことが多いが、印刷枚数指示などのテンキーを入力手段として、桁数の多い暗号数字の入力で認証できる態様も現実的である。
【００６３】
テンキー入力部は、通常、操作パネル等の操作部の表示部の右側に位置し、カードリーダーなどの付加的な認証機器よりは左側に位置する。それ故、テンキー暗証番号入力で認証されたユーザの操作可能領域に対応付けられる操作画面は、操作部の表示部の人体通信で認証されたユーザの操作可能領域に対応付けられる操作画面よりは右側に偏位して表示する。そして、カード認証されたユーザの操作可能領域に対応付けられる操作画面よりは左に偏位して表示されるように工夫する。そうすれば、やはり、操作部の表示部のユーザインターフェースに統一感があり、複数ユーザが戸惑うことなく、それぞれの操作可能領域を自然に把握してスムーズに操作入力できる。
なお、テンキー暗証番号入力での認証方式を一般化するのであれば、テンキー入力部も、液晶表示操作パネル等で構成して、各キーの背後の数字設定がランダムに変化する方式とするなどして、セキュリティレベルを担保することが望ましい。
【００６４】
〔他の実施例〕
また、本発明は、以下の処理を実行することによっても実現される。即ち、上述した実施形態の機能を実現するソフトウェア（プログラム）を、ネットワーク又は各種記憶媒体を介してシステムあるいは装置に供給し、そのシステムあるいは装置のコンピュータ（またはＣＰＵやＭＰＵ等）がプログラムを読み出して実行する処理である。
また、本発明は、複数の機器から構成されるシステムに適用しても、共用使用が可能な情報処理装置等の１つの機器からなる装置に適用してもよい。
本発明は上記実施例に限定されるものではなく、本発明の趣旨に基づき種々の変形（各実施例の有機的な組み合わせを含む）が可能であり、それらを本発明の範囲から除外するものではない。即ち、上述した各実施例及びその変形例を組み合わせた構成も全て本発明に含まれるものである。
【符号の説明】
【００６５】
１    情報処理装置
８    携帯端末
【図１】
2015230490.tif 000003
【図２】
2015230490.tif 000004
【図３】
2015230490.tif 000005
【図４】
2015230490.tif 000006
【図５】
2015230490.tif 000007
【図６】
2015230490.tif 000008
【図７】
2015230490.tif 000009
【図８Ａ】
2015230490.tif 000010
【図８Ｂ】
2015230490.tif 000011
【図８Ｃ】
2015230490.tif 000012
【図８Ｄ】
2015230490.tif 000013
【図９】
2015230490.tif 000014
【図１０】
2015230490.tif 000015
【図１１】
2015230490.tif 000016
【図１２】
2015230490.tif 000017